(57)【特許請求の範囲】
【請求項１】
内部に収納空間を有するとともに、前記収納空間に連通する収納口が形成されたバッグ本体と、
前記収納口に取り付けられ、閉塞位置と開放位置との間でスライダーを移動させることにより、前記収納口を閉塞状態と開放状態とに切り換えるファスナーと、
一方の端部である第１端部と、他方の端部である第２端部とが、前記バッグ本体に取り付けられているストラップと、
前記バッグ本体の前記閉塞位置側の端部と、前記ストラップの前記第１端部とを着脱可能に連結するとともに、前記バッグ本体と前記第１端部とを連結した状態で施錠可能なロック部と、
を備え、
前記ストラップの前記第１端部には、前記ストラップの幅よりも開口部の幅が広いストラップリングが取り付けられており、
前記スライダーには、前記ストラップリング、および前記ストラップの前記第１端部側を挿通可能な挿通部が形成された引き手が直接連結され、
前記ロック部は、前記ストラップリングを連結した状態と、前記ストラップリングを取り外した状態と、に切り替えることができる環状のシャックルを有し、
前記ストラップは、前記ストラップリングを前記シャックルから取り外した状態で、固定対象物に巻回可能であるとともに、前記固定対象物と前記第１端部との間の部分に前記閉塞位置にある前記スライダーの前記挿通部を挿通可能であり、
前記ロック部は、前記ストラップを前記固定対象物に巻回し、かつ、前記ストラップに前記スライダーの前記挿通部を挿通させた状態で、前記ストラップリングと前記シャックルとを連結および施錠可能である、
バッグ。
【請求項２】
前記ストラップは、
前記係止されたスライダーが前記固定対象物側に移動することを阻止する当接部を有する、
請求項１に記載のバッグ。
【発明の詳細な説明】
【技術分野】
【０００１】
本発明は、バッグに関する。より詳細には、バッグ自体の盗難を防止できるとともに、バッグに収納された収納物の盗難も同時に防止することができるバッグに関する。
【背景技術】
【０００２】
従来、様々な用途に対応したバッグが提案されている。例えば、スポーツバッグは、シューズ、ウェア、タオルなどの物品を収納できるように構成されている。
【０００３】
このようなスポーツバッグは、スポーツ中はロッカーなどに保管しておくこともできるが、ロッカーが用意されていない場合や、休憩中などに物品が必要になる場合には、ロッカーなどに保管せずに使用者の近くに置いておきたいという要望がある。
【０００４】
しかしながら、スポーツ中は、使用者の目がスポーツバッグに十分に届かない状態になりがちであり、使用者が目を離した隙にバッグごと持ち去されたり、バッグの収納口が開けられて収納物が持ち去られるおそれがある。
【０００５】
また、例えば、公園などでジョギングを行う場合には、シューズ、ウェア、タオル、飲料などの物品をスポーツバッグに収納して公園まで携行したいという要望がある。その一方で、ジョギング中はできるだけ軽装が望ましいため、携行してきたスポーツバッグをスタート地点等に置いておきたいという要望がある。
【０００６】
しかしながら、ジョギングのスタート地点にスポーツバッグを置いておくと、使用者がジョギングを行っている間にバッグごと持ち去されたり、バッグの収納口が開けられて収納物が持ち去られるおそれがある。このため、従来はスポーツバッグの携行を断念して、携行する物品を減らしたり、最小限の物品を収納した小型のバッグを背負ってジョギングを行う必要があった。
【先行技術文献】
【特許文献】
【０００７】
【特許文献１】登録実用新案第３０３２７２０号公報
【発明の概要】
【発明が解決しようとする課題】
【０００８】
ところで、従来、内容物および保管箱自体の盗難を防止する保管箱として、携帯可能な貴重品保管箱が提案されている（例えば、特許文献１参照）。この保管箱は、係留索により柱や重量家具等に係留し、かつ係留索により保管箱の錠止を同時に行うように構成されている。
【０００９】
しかしながら、上記従来の保管箱は、盗難防止構造として係留索が別途設けられているため、盗難防止構造が複雑になるとともに、重量が増大するものであった。このため、係留索を用いた同様の盗難防止構造を様々な形態のバッグに適用することは困難であった。
【００１０】
本発明は、上記課題を解決するためになされたものであって、バッグの盗難と、バッグの収納物の盗難を同時に防止するとともに、盗難防止構造を簡易な構造にすることにより、盗難防止構造を備えた様々な形態のバッグを提供することを目的とする。
【課題を解決するための手段】
【００１１】
本発明のバッグは、
内部に収納空間を有するとともに、前記収納空間に連通する収納口が形成されたバッグ本体と、
前記収納口に取り付けられ、閉塞位置と開放位置との間でスライダーを移動させることにより、前記収納口を閉塞状態と開放状態とに切り換えるファスナーと、
一方の端部である第１端部と、他方の端部である第２端部とが、前記バッグ本体に取り付けられているストラップと、
前記バッグ本体の前記閉塞位置側の端部と、前記ストラップの前記第１端部とを着脱可能に連結するとともに、前記バッグ本体と前記第１端部とを連結した状態で施錠可能なロック部と、
を備え、
前記ストラップは、前記第１端部を前記バッグ本体から離脱させた状態で、固定対象物に巻回可能であるとともに、前記固定対象物と前記第１端部との間の部分に前記閉塞位置にある前記スライダーを係止可能であり、
前記ロック部は、前記ストラップを前記固定対象物に巻回し、かつ、前記ストラップに前記スライダーに係止させた状態で、前記ストラップの前記第１端部と前記バッグ本体とを連結および施錠可能である。
【発明の効果】
【００１２】
本発明のバッグによれば、バッグの盗難と、バッグの収納物の盗難を同時に防止することができる。また、盗難防止構造を簡易な構造にすることができ、盗難防止構造を備えた様々な形態のバッグを提供することができる。
【図面の簡単な説明】
【００１３】
【図１】図１は、本発明の第１実施形態に係るバッグの正面斜視図である。
【図２】図２は、バッグを固定対象物に係留する状態を示す正面斜視図である。
【図３】図３は、バッグを固定対象物に係留する状態を示す正面斜視図である。
【図４】図４は、バッグを固定対象物に係留する状態を示す正面斜視図である。
【図５】図５は、本発明の第２実施形態に係るバッグの正面斜視図である。
【図６】図６は、バッグを固定対象物に係留する状態を示す正面斜視図である。
【発明を実施するための形態】
【００１４】
本発明の一実施形態にかかるバッグは、
内部に収納空間を有するとともに、前記収納空間に連通する収納口が形成されたバッグ本体と、
前記収納口に取り付けられ、閉塞位置と開放位置との間でスライダーを移動させることにより、前記収納口を閉塞状態と開放状態とに切り換えるファスナーと、
一方の端部である第１端部と、他方の端部である第２端部とが、前記バッグ本体に取り付けられているストラップと、
前記バッグ本体の前記閉塞位置側の端部と、前記ストラップの前記第１端部とを着脱可能に連結するとともに、前記バッグ本体と前記第１端部とを連結した状態で施錠可能なロック部と、
を備え、
前記ストラップは、前記第１端部を前記バッグ本体から離脱させた状態で、固定対象物に巻回可能であるとともに、前記固定対象物と前記第１端部との間の部分に前記閉塞位置にある前記スライダーを係止可能であり、
前記ロック部は、前記ストラップを前記固定対象物に巻回し、かつ、前記ストラップに前記スライダーに係止させた状態で、前記ストラップの前記第１端部と前記バッグ本体とを連結および施錠可能である（第１の構成）。
【００１５】
上記構成によれば、バッグ本体とストラップの第１端部は、ロック部によって着脱可能かつ施錠可能に連結されている。
ストラップの第１端部をバッグ本体から離脱させた状態で、ストラップを固定対象物に巻回させるとともに、固定対象物と第１端部との間の部分に閉塞位置にあるスライダーを係止させる。
その状態で、ロック部によりストラップの第１端部とバッグ本体とを連結し、施錠することにより、バッグを固定対象物に対して施錠状態で係留することができる。
また、スライダーは、ストラップの第１端部と固定対象物との間の部分に係止されているため、スライダーの位置を閉塞位置に保持することができる。
これにより、バッグを固定対象物に係留した状態において、スライダーを閉塞位置から開放位置に移動させることを阻止することができ、バッグの盗難と、バッグの収納口が開けられることによる収納物の盗難を同時に防止することができる。
また、バッグに設けられているストラップを利用した盗難防止構造であるため、盗難防止構造を簡易な構造にすることができる。このため、様々な用途や形態のバッグに盗難防止構造を適用することができる。
【００１６】
上記第１の構成において、
前記ストラップは、
前記係止されたスライダーが前記固定対象物側に移動することを阻止する当接部を有してもよい（第２の構成）。
【００１７】
上記構成によれば、ストラップに設けられた当接部により、ストラップに係止されたスライダーの移動がより確実に阻止される。
よって、バッグの収納口が開けられることによる収納物の盗難をより確実に防止することができる。
【００１８】
上記第１または第２の構成において、
前記スライダーは、
引き手を有し、
前記引き手は、
前記ストラップの前記第１端部側を挿通可能な挿通部が形成されていてもよい（第３の構成）。
【００１９】
上記構成によれば、スライダーの引き手に設けられた挿通部に、ストラップの第１端部側を挿通させることにより、ストラップにスライダーに係止させることができる。
これにより、ストラップにスライダーを容易かつ確実に係止させて、スライダーの移動を阻止することができる。
【００２０】
［実施形態１］
以下、図面を参照し、本発明の実施形態に係るバッグ１００について詳しく説明する。図１は、本発明の第１実施形態に係るバッグ１００の正面斜視図である。
【００２１】
以下の図では、矢印Ｕはバッグ１００の上方向、矢印Ｄは下方向を示し、矢印Ｒはバッグ１００の右方向、矢印Ｌは左方向を示す。また、バッグ１００の正面は紙面手前側、バッグ１００の後面は紙面奥側とする。
【００２２】
以下の図では同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００２３】
［全体の構成］
まずバッグ１００の全体の構成について説明する。本実施形態に係るバッグ１００は、バッグ本体１０およびストラップ３０を有している。本実施形態のバッグ本体１０は、正面視で略長方形であり、前後方向の厚みが薄い形状を有しているが、バッグ本体の形状はこれに限定されない。バッグ本体は、例えば、スポーツバッグのように略筒形や略箱型であってもよく、いわゆるボディバッグのように人体の体型に沿うような形状を有していてもよい。また、バッグ本体の大きさも限定されず、ボストンバッグのように比較的大型のものから、ポーチのように比較的小型のものであってもよい。バッグ本体１０の材質も限定されず、布、合成樹脂、天然皮革、あるいは合成皮革などであってもよい。
【００２４】
本実施形態のストラップ３０は、厚みに対して幅が広いベルト状であるが、本発明におけるストラップの形状はこれに限定されない。ストラップ３０は、例えば、紐状であってもよい。また、ストラップ３０の材質も限定されず、布、合成樹脂、天然皮革、あるいは合成皮革などであってもよい。
【００２５】
図１に示すように、バッグ本体１０は、第１側面部１１、第２側面部１２、上面部１３、底面部１４、第１端面部１５、および第２端面部１６を有している。第１側面部１１および第２側面部１２は、それぞれバッグ本体１０の前面と後面を構成している。上面部１３、底面部１４、第１端面部１５、および第２端面部１６は、第１側面部１１および第２側面部１２の間に配置されており、それぞれバッグ本体１０の上面、底面、右側面、および左側面を構成している。第１側面部１１、第２側面部１２、上面部１３、底面部１４、第１端面部１５、および第２端面部１６によって構成される内部空間には、物品を収納するための収納空間（図示せず）が構成されている。上面部１３には、収納口１８が形成されている。収納口１８は、収納空間に連通しており、収納口１８を介して、収納空間に物品を収納したり、収納空間に収納された物品を取り出すことができる。
【００２６】
収納口１８には、ファスナー５０が取り付けられている。ファスナー５０は、いわゆるスライドファスナーであり、エレメント５１およびスライダー５３を有している。エレメント５１は、収納口１８に沿って取り付けられている。閉塞位置Ｐ１と開放位置Ｐ２との間でスライダー５３を移動させることにより、エレメント５１をかみ合わせた状態と、エレメント５１のかみ合わせを解除した状態とに切り換えることができる。本実施形態では、閉塞位置Ｐ１は、バッグ本体１０の第１端面部１５側に位置しており、開放位置Ｐ２は、バッグ本体１０の第２端面部１６側に位置している。スライダー５３を閉塞位置Ｐ１に移動させ、エレメント５１をかみ合わせた状態にすることにより、収納口１８を閉塞状態にすることができる。スライダー５３を開放位置Ｐ２に移動させ、エレメント５１のかみ合わせを解除した状態にすることにより、収納口１８を開放状態にすることができる。
【００２７】
スライダー５３には、使用者がスライダー５３を移動させる際に把持する引き手５５が設けられている。引き手５５には挿通部５７が形成されている。挿通部５７は、貫通孔であり、後述するストラップ３０の第１端部３１側を挿通させることが可能である。
【００２８】
バッグ本体１０には、ストラップ３０を取り付けるための第１取付部２１および第２取付部２２が設けられている。第１取付部２１は、バッグ本体１０の第１端面部１５に固定されている。第１取付部２１には、ダイヤル錠６０が取り付けられている。ダイヤル錠６０は、本発明のロック部に相当する。第２取付部２２は、バッグ本体１０の第２端面部１６に固定されている。第２取付部２２には、固定リング２４が取り付けられている。
【００２９】
ストラップ３０は、使用者が肩に掛けたり、手で把持する部分である。バッグがいわゆるボディバッグである場合は、ストラップ３０は使用者の肩から斜め掛けしたり、腰に巻くものであってもよい。ストラップ３０は、一方の端部である第１端部３１と、他方の端部である第２端部３２とが、バッグ本体１０に取り付けられている。ストラップ３０の第１端部３１には、第１ストラップリング３３が取り付けられている。ストラップ３０の第２端部３２には、第２ストラップリング３４が取り付けられている。
【００３０】
ストラップ３０の第１端部３１は、第１ストラップリング３３がダイヤル錠６０に取り付けられることにより、バッグ本体１０の第１側面部１１に取り付けられている。ストラップ３０の第２端部３２は、第２ストラップリング３４が固定リング２４に連結されることにより、バッグ本体１０の第２側面部１２に取り付けられている。
【００３１】
ダイヤル錠６０は、バッグ本体１０の第１端面部１５と、ストラップ３０の第１端部３１とを着脱可能に連結している。第１端面部１５は、本発明におけるバッグ本体の閉塞位置側の端部に相当する。ダイヤル錠６０は、施錠と解錠が可能である。ダイヤル錠６０は、ダイヤル錠本体６１およびシャックル６３を有している。シャックル６３の端部は、図１に示すように、ダイヤル錠本体６１に差し込んだ状態と、図２に示すように、ダイヤル錠本体６１から引き抜いた状態にすることが可能である。
【００３２】
図２に示すように、ダイヤル錠本体６１からシャックル６３を引き抜いた状態では、ダイヤル錠６０は解錠されて状態になっている。図１に示すように、ダイヤル錠本体６１にシャックル６３の端部を差し込んだ状態でダイヤル錠本体６１のダイヤル位置をランダムな位置にすることにより、施錠した状態にすることができる。施錠した状態においてダイヤル位置を所定の位置に合わせることにより解錠状態に切り替えて、シャックル６３の端部をダイヤル錠本体６１から引き抜いた状態にすることが可能である。なお、本発明のロック部は、ダイヤル錠に限定されず、鍵によって施錠と解錠を切り換えるものであってもよく、他の手段によって施錠と解錠を切り換えるものであってもよい。
【００３３】
［固定対象物にバッグを係留する動作］
次に、バッグ１００を固定対象物Ｆに係留する場合について説明する。図２から図４は、バッグ１００を固定対象物Ｆに係留する状態を示す正面斜視図である。
【００３４】
図２に示すように、まず、ダイヤル錠６０を解錠し、ダイヤル錠本体６１からシャックル６３の端部を引き抜いた状態にして、ストラップ３０の第１端部３１に取り付けた第１ストラップリング３３をダイヤル錠６０から取り外す。
【００３５】
ストラップ３０の第１端部３１をダイヤル錠６０から取り外した状態で、ストラップ３０を固定対象物Ｆに巻回する。固定対象物Ｆは特に限定されないが、例えば屋外であれば鉄柱やフェンスの支柱など、固定された柱状物等が好ましい。
【００３６】
図３に示すように、ストラップ３０を固定対象物Ｆに巻回した状態で、ストラップ３０の第１端部３１をスライダー５３の引き手５５に形成された挿通部５７に挿通させる。挿通部５７は、ストラップ３０の第１端部３１に設けられた第１ストラップリング３３を挿通させることができるように、貫通孔の大きさが設定されている。
【００３７】
そして、ストラップ３０の第１端部３１を挿通部５７に挿通させた状態で、第１ストラップリング３３をダイヤル錠６０に連結する。
【００３８】
図４は、第１ストラップリング３３をダイヤル錠６０に連結し、ダイヤル錠６０を施錠した状態を示している。この状態では、ストラップ３０が固定対象物Ｆに巻回され、第１ストラップリング３３がダイヤル錠６０に連結されて施錠されているため、バッグ１００自体の盗難を防止することができる。
【００３９】
また、スライダー５３の引き手５５の挿通部５７にストラップ３０の第１端部３１側が挿通されており、スライダー５３の引き手５５がストラップ３０に係止されているため、スライダー５３の移動がストラップ３０や固定対象物Ｆによって阻止される。このため、固定対象物Ｆにストラップ３０が巻回された状態では、スライダー５３を移動させて収納口１８を開放状態にすることが阻止される。
【００４０】
これにより、バッグ１００を固定対象物Ｆに係留した状態において、スライダー５３を閉塞位置Ｐ１から開放位置Ｐ２に移動させることを阻止することができ、バッグ１００の盗難と、バッグ１００の収納口１８が開けられることによる収納物の盗難を同時に防止することができる。
【００４１】
［固定対象物からバッグを取り外す動作］
次に、バッグ１００を固定対象物Ｆに係留した状態から取り外す場合について説明する。この場合、まず図４に示したように、バッグ１００が固定対象物Ｆに係留された状態において、ダイヤル錠６０を解錠し、ダイヤル錠本体６１からシャックル６３の端部を引き抜いた状態にして、ストラップ３０の第１端部３１に取り付けた第１ストラップリング３３をダイヤル錠６０から取り外す。
【００４２】
そして、図３に示したように、ストラップ３０の第１端部３１を挿通部５７から引き抜いた状態とする。
【００４３】
続いて、図２に示したように、ストラップ３０を固定対象物Ｆから外し、図１に示したように、ストラップ３０の第１端部３１に取り付けた第１ストラップリング３３をダイヤル錠６０に再度取り付けて、ダイヤル錠６０を施錠する。これにより、バッグ１００を固定対象物Ｆから取り外すことができる。
【００４４】
［実施形態１の効果］
以上説明した本実施形態に係るバッグ１００によれば、バッグ本体１０とストラップ３０の第１端部３１は、ダイヤル錠６０によって着脱可能かつ施錠可能に連結されている。
ストラップ３０の第１端部３１をバッグ本体１０から離脱させた状態で、ストラップ３０を固定対象物Ｆに巻回させるとともに、固定対象物Ｆと第１端部３１との間の部分に閉塞位置Ｐ１にあるスライダー５３の引き手５５を挿通させる。
その状態で、ダイヤル錠６０によりストラップ３０の第１端部３１とバッグ本体１０とを連結し、施錠することにより、バッグ１００を固定対象物Ｆに対して施錠状態で係留することができる。
また、スライダー５３の引き手５５は、ストラップ３０の第１端部３１と固定対象物Ｆとの間の部分に挿通されているため、スライダー５３の位置を閉塞位置Ｐ１に保持することができる。
これにより、バッグ１００を固定対象物Ｆに係留した状態において、スライダー５３を閉塞位置Ｐ１から開放位置Ｐ２に移動させることを阻止することができ、バッグ１００の盗難と、バッグ１００の収納口１８が開けられることによる収納物の盗難を同時に防止することができる。
また、本実施形態の盗難防止構造は、バッグ１００に設けられているストラップ３０を利用するものであるため、盗難防止構造を簡易な構造にすることができる。このため、様々な用途や形態のバッグ１００に盗難防止構造を適用することができる。
【００４５】
［実施形態２］
実施形態２のバッグ１００Ａは、ストラップ３０に当接部７０が設けられている点が実施形態１に係るバッグ１００と異なっている。以下の説明において、実施形態１と同様の構成には同一の符号を付して説明を省略し、実施形態１と異なる構成についてのみ説明する。
【００４６】
図５は、本発明の第２実施形態に係るバッグ１００Ａの正面斜視図である。図６は、バッグ１００Ａを固定対象物Ｆに係留する状態を示す正面斜視図である。図５および図６に示すように、ストラップ３０には、当接部７０が設けられている。当接部７０は、ストラップ３０に挿通されたスライダー５３が固定対象物Ｆ側に移動することを阻止する部材である。
【００４７】
当接部７０は、ストラップ３０の第１端部３１に取り付けた第１ストラップリング３３付近に設けられている。当接部７０の大きさは、スライダー５３の引き手５５に形成された挿通部５７を通過できない大きさに設定されている。当接部７０は、ストラップ３０に対して移動できないように固定されている。
【００４８】
当接部７０の形状や素材は限定されるものではないが、例えば、合成樹脂製の板状体で形成することができる。また、当接部７０は、引き手５５に形成された挿通部５７を通過できない大きさであればよいため、例えば突起状の形状であってもよい。
［実施形態２の効果］
以上説明した本実施形態に係るバッグ１００Ａによれば、ストラップ３０に設けられた当接部７０により、ストラップ３０に係止されたスライダー５５の移動がより確実に阻止される。
よって、バッグ１００の収納口１８が開けられることによる収納物の盗難をより確実に防止することができる。
【００４９】
［変形例］
本発明に係るバッグは、上記説明した本実施形態に限定されない。例えば本実施形態では、ストラップ３０にスライダー５３を係止する手段として、引き手５５に形成した挿通部５７にストラップ３０を挿通させることとしたが、これに限定されない。例えば、挿通部５７は貫通孔でなくてもよく、ストラップ３０が着脱可能に係止できるものであればよい。
【００５０】
また、本実施形態では、ストラップ３０と引き手５５を直接係止することとしたが、他の部材を介して係止するようにしてもよい。
【００５１】
固定対象物Ｆにストラップ３０を巻回する場合、本実施形態では、固定対象物Ｆにストラップ３０を１回巻き付けるようにしたが、これに限定されない。例えば、ストラップ３０の長さによっては複数回巻き付けてもよく、他の巻き付け方を行ってもよい。
【００５２】
以上、本発明の実施形態を説明したが、上述した実施形態は本発明を実施するための例示に過ぎない。よって、本発明は上述した実施形態に限定されることなく、その趣旨を逸脱しない範囲内で上述した実施形態を適宜変形して実施することが可能である。
【符号の説明】
【００５３】
１００  バッグ
１０    バッグ本体
１５    第１端面部（閉塞位置側の端部）
１６    第２端面部
１８    収納口
３０    ストラップ
３１    第１端部
３２    第２端部
５０    ファスナー
５３    スライダー
６０    ダイヤル錠（ロック部）
Ｐ１    閉塞位置
Ｐ２    開放位置
【要約】      （修正有）【課題】バッグの盗難と、バッグの収納物の盗難を同時に防止するバッグを提供する。【解決手段】バッグ本体１０の収納口１８に取り付けられ、閉塞位置Ｐ１と開放位置Ｐ２との間でスライダー５３を移動させるファスナー５０と、バッグ本体１０の閉塞位置Ｐ１側の端部と、ストラップ３０の第１端部３１とを着脱可能に連結するとともに、バッグ本体と第１端部とを連結した状態で施錠可能なロック部６０と、を備える。ストラップは、第１端部をバッグ本体から離脱させた状態で、固定対象物Ｆに巻回可能であるとともに、固定対象物と第１端部との間の部分に閉塞位置にあるスライダーを係止可能である。ロック部は、ストラップを固定対象物に巻回し、かつ、ストラップにスライダーを係止させた状態で、ストラップの第１端部とバッグ本体とを連結および施錠可能である。【選択図】図４【図１】
0006961178.tif 000002
【図２】
0006961178.tif 000003
【図３】
0006961178.tif 000004
【図４】
0006961178.tif 000005
【図５】
0006961178.tif 000006
【図６】
0006961178.tif 000007